(57)【特許請求の範囲】
【請求項１】
後縁に、テーブルの柱体に係止するための複数の係止鈎を有するとともに、上端に、内方を向く水平受片を有し、かつ水平受片の適所に、天板取付用の取付孔を、また水平受片の基部である折曲部の直下に、前後に並ぶ適数の嵌合孔を設けてなるブラケット本体の取付用係止鈎と水平受片を除いた外形と対応する外形を有し、下縁を上向Ｕ形断面の嵌合縁とするとともに、上縁部に、ブラケット本体の前記各嵌合孔へ適正に嵌合しうる内向係止片を設けた合成樹脂製カバーを、その下縁における上向Ｕ形断面の嵌合縁を、ブラケット本体の下縁に嵌合するとともに、上縁部の係止片をブラケット本体に設けた嵌合孔に嵌入係止することにより、前記保護カバーをブラケット本体の外側面に取付けてなる天板支持用ブラケット。
【請求項２】
係止片を、先端に係止爪を有するものとしてなる請求項１記載の天板支持用ブラケット。
【請求項３】
保護カバーの下縁の嵌合縁内に、ブラケット本体の下縁に設けた切り欠き部と係止しうる位置決め用上向突片を設けてなる請求項１または２記載の天板支持用ブラケット。
【請求項４】
保護カバーの内側面に、内側端がブラケット本体の外側面に当接しうる剛性増強用突条を設けてなる請求項１〜３のいずれかに記載の天板支持用ブラケット。
【発明の詳細な説明】
【０００１】
【発明の属する技術分野】
本発明は、新規な構造の保護カバーを有し、パネルや支柱等に取付けられて、テーブルや棚板等を支持する支持ブラケットに関する。
【０００２】
【従来の技術】
従来、テーブルの天板等の支持ブラケットは、通常は、強度が高く安価に製作できる板金製とされている。
テーブル等を移動させる際には、ブラケットに手を掛けて持ち上げられることになるが、かなりの重量のため、板金製のブラケットでは、下端縁により、手を傷付けたりする危険性がある。また、最近では、ブラケット全体を樹脂のみで成型したもの、金属板を樹脂に埋没してモールド成型したものもあるが、前者は、天板を支持する強度が十分でなく、後者は、製作コストがかさみ、かつ構成材料を分別廃棄することができないという欠点がある。
【０００３】
板金製ブラケットの両側面に樹脂カバーを取付けたものが、実公平５−１８９７５号公報により提案されている。これは、板金製ブラケットの内外両側面に被せた合成樹脂製のカバー体同士を結合したもので、力学的には板金製ブラケットとは無関係であり、ブラケットの補強の役はなさず、また、ブラケットを持ち上げようとするときには、その側面のカバー体が上方へ押されて、ガタ付くこととなる。また、このカバー体は、廃棄の際に板金製ブラケットから取り外すのが困難である。
【０００４】
【発明が解決しようとする課題】
本発明は、十分な強度を有する板金製のブラケットの外側面と下縁を、プラスチック製の保護カバーで覆った体裁の良いブラケットを提供することを目的とする。
また本発明は、組み立てが容易で、取扱い易く、リサイクルの際には、ブラケット本体から容易に取り外しうる保護カバーを有するブラケットを提供することを目的とする。
【０００５】
【課題を解決するための手段】
本発明によると、上記目的は、次のようにして達成される。
（１）後縁に、テーブルの柱体に係止するための複数の係止鈎を有するとともに、上端に、内方を向く水平受片を有し、かつ水平受片の適所に、天板取付用の取付孔を、また水平受片の基部である折曲部の直下に、前後に並ぶ適数の嵌合孔を設けてなるブラケット本体の取付用係止鈎と水平受片を除いた外形と対応する外形を有し、下縁を上向Ｕ形断面の嵌合縁とするとともに、上縁部に、ブラケット本体の前記各嵌合孔へ適正に嵌合しうる内向係止片を設けた合成樹脂製カバーを、その下縁における上向Ｕ形断面の嵌合縁を、ブラケット本体の下縁に嵌合するとともに、上縁部の係止片をブラケット本体に設けた嵌合孔に嵌入係止することにより、前記保護カバーをブラケット本体の外側面に取付ける。
【０００６】
（２）上記（１）項において、係止片を、先端に係止爪を有するものとする。
【０００７】
（３）上記（１）または（２）項において、保護カバーの下縁の嵌合縁内に、ブラケット本体の下縁に設けた切り欠き部と係止しうる位置決め用上向突片を設ける。
【０００８】
（４）上記（１）〜（３）項のいずれかにおいて、保護カバーの内側面に、内側端がブラケット本体の外側面に当接しうる剛性増強用突条を設ける。
【０００９】
【発明の実施の形態】
本発明の天板支持用ブラケットは、板金製のブラケット本体（１）の外側面にのみ、合成樹脂製保護カバー（２）を嵌合して取付けたものである。
【００１０】
ブラケット本体（１）は、図２および図３に示すように、後縁に、テーブルの柱体（１０）に係止するための複数の係止鈎（１１）を有するとともに、上端に、内方を向く水平受片（１２）を有し、かつ水平受片（１２）の適所に、天板（７）取付用の取付孔（１３）を設け、水平受片（１２）の基部である折曲部の直下に、前後に並ぶ適数の嵌合孔（１４）を、また下縁適所に、位置決め用の上向切り欠き部（１６）を設けたものである。
【００１１】
保護カバー（２）は、図４〜図６に明示するように、ブラケット本体（１）の取付用係止鈎（１１）を除いた外形と対応する外形を有し、下縁内側に上向Ｕ形断面の嵌合縁（３）を設け、かつ上縁部に、ブラケット本体（１）の前記各嵌合孔（１４）へ適正に嵌合しうる内向係止片（４）を設け、さらに内側面に、ブラケット本体（１）に取り付けた際に、内側端がブラケット本体（１）の外側面に当接するようにした適宜の剛性増強用突条（５）を設けたものである。
【００１２】
前記内向係止片（４）は、図には表わしていないが、内側端に係止爪を有するものであるのが望ましい。
【００１３】
前記嵌合縁（３）の底部には、各内向係止片（４）の直下において上方を向く上向突片（６）を設けてある。
【００１４】
前記保護カバー（２）は、その下縁の嵌合縁（３）をブラケット本体（１）の下縁に嵌合し、前者の各上向突片（６）を後者の切り欠き部（１５）へ係合するとともに、前者の各内向突片（４）を、後者の嵌合孔（１４）へ嵌入係止することにより、ビス等を全く用いることなく、簡単にブラケット本体（１）に取付けられる。
【００１５】
このようにして組立てられた本発明の天板支持用ブラケットは、図１に示すように、係止鈎（１１）を利用して、例えばパソコン用テーブル（９）の柱体（１０）に取付けられ、その水平受片（１２）で天板（７）を支持するとともに、取付孔（１３）の下方より挿入したビス（８）を天板（７）へ螺合して使用に供される。
【００１６】
【発明の効果】
（ａ）板金製のブラケット本体（１）の外側面に、合成樹脂製の保護カバー（２）を取付けてあるので、ユーザーに金属特有の硬冷感を与えることはない。
【００１７】
（ｂ）保護カバー（２）により、ブラケット全体としての剛性は高まり、またブラケットに手を掛けた際に傷を負ったりすることはなくなる。
【００１８】
（ｃ）保護カバー（２）は、ビスや工具等を使用することなく、簡単かつ容易に、ブラケット本体（１）に着脱することができる。従って、廃棄時における材質別の分別処理も簡単に行うことができる。
【００１９】
（ｄ）請求項２に記載のようにすれば、保護カバー（２）のブラケット本体（１）に対する係止は、より確実となる。
【００２０】
（ｅ）請求項３に記載のようにすれば、保護カバー（２）のブラケット本体（１）に対する位置決めは簡単となり、また前者が後者に対して妄りに動くのが防止される。
【００２１】
（ｆ）請求項４に記載のようにすれば、保護カバー（２）はブラケット本体（１）とより一体的となり、ブラケット全体としての剛性が高まるとともに、これを強く把持しうるようになる。
【図面の簡単な説明】
【図１】本発明の天板支持用ブラケットを組み込んだパソコン用テーブルの斜視図である。
【図２】本発明の天板支持用ブラケットを内方から見た側面図である。
【図３】同じく平面図である。
【図４】保護カバーを内方から見た側面図である。
【図５】同じく平面図である。
【図６】同じく右方から見た端面図である。
【図７】図４におけるＡ−Ａ線で切断した保護カバーの縦断面図である。
【図８】同じくＢ−Ｂ線で切断した図である。
【図９】同じくＣ−Ｃ線で切断した図である。
【符号の説明】
（１）ブラケット本体
（２）保護カバー
（３）嵌合縁
（４）内向係止片
（５）剛性増強用突条
（６）上向突片
（７）テーブル天板
（８）ビス
（９）パソコン用テーブル
（１０）柱体
（１１）係止鈎
（１２）水平受片
（１３）取付孔
（１４）嵌合孔
（１５）上向切り欠き部
【図１】
0003579854.tif 000002
【図２】
0003579854.tif 000003
【図３】
0003579854.tif 000004
【図４】
0003579854.tif 000005
【図５】
0003579854.tif 000006
【図６】
0003579854.tif 000007
【図７】
0003579854.tif 000008
【図８】
0003579854.tif 000009
【図９】
0003579854.tif 000010